(57)【要約】【課題】  浄水器等に付属する浄水用カートリッジの取付け機構において、カートリッジの有底筒形容器の底部の形状に係らず、カートリッジとカートリッジ受部同士の嵌合を非常に簡便かつ確実に果たす。漏水のおそれがなく、耐圧性の丸底円筒容器を具備するカートリッジにも有効に適用する。各種浄水用カートリッジの種類に応じて、カートリッジを正確に取り付けることができ、カートリッジの誤用を防止する。【解決手段】  原水に含まれる塩素、夾雑物を取り除く濾過剤５が充填収納された浄水用カートリッジ１の容器本体底壁４の略中央部の浄水流出管口部６を中心とする同心円上の位置と、カートリッジ受部２の底壁１２の対応箇所には、その一方に略環状の嵌合凹部８が設けられると共に、同他方には該嵌合凹部８に対応すべく略環状の嵌合凸部１７が設けられ、これら略環状の嵌合凹部８と略環状の嵌合凸部１７とが互いに嵌め合わせられている。【選択図】    図１
2006334453.tif 000002
【特許請求の範囲】
【請求項１】
原水に含まれる塩素、夾雑物を取り除く濾過剤が充填収納された有底円筒形容器本体を備え、かつ容器本体の底壁の略中央部に凸状の浄水流出管口部が設けられると共に、同底壁の略中央部から離れた位置に凸状の原水流入管口部が設けられている浄水用カートリッジと、浄水用カートリッジの下端部が嵌め入れられかつ浄水用カートリッジの浄水流出管口部および原水流入管口部に対応する底壁の所定箇所にこれらの管口部を嵌め入れる凹陥部が設けられているカートリッジ受部とを備えている浄水用カートリッジの取付け機構において、上記浄水用カートリッジの容器本体底壁の略中央部の浄水流出管口部を中心とする同心円上の位置に略環状の嵌合凹部が下向き状に設けられると共に、該嵌合凹部に対応すべくカートリッジ受部の底壁の対応箇所に略環状の嵌合凸部が上向き状に設けられており、浄水用カートリッジの下端部がカートリッジ受部に嵌め入れられて、略環状の嵌合凹部と略環状の嵌合凸部とが互いに嵌め合わせられていることを特徴とする、浄水用カートリッジの取付け機構。
【請求項２】
原水に含まれる塩素、夾雑物を取り除く濾過剤が充填収納された有底円筒形容器本体を備え、かつ容器本体の底壁の略中央部に凸状の浄水流出管口部が設けられると共に、同底壁の略中央部から離れた位置に凸状の原水流入管口部が設けられている浄水用カートリッジと、浄水用カートリッジの下端部が嵌め入れられかつ浄水用カートリッジの浄水流出管口部および原水流入管口部に対応する底壁の所定箇所にこれらの管口部を嵌め入れる凹陥部が設けられているカートリッジ受部とを備えている浄水用カートリッジの取付け機構において、上記浄水用カートリッジの容器本体底壁の浄水流出管口部と原水流入管口部の少なくとも一方の底壁側基部に鍔部が設けられ、この鍔部の周縁部の少なくとも一箇所に嵌合用切欠き凹部が設けられ、カートリッジ受部の底壁の管口部嵌入れ用凹陥部の内周壁の対応箇所に嵌合突起が内方突出状に設けられており、浄水用カートリッジの下端部がカートリッジ受部に嵌め入れられて、浄水用カ−トリッジ側の鍔部周縁部の嵌合用切欠き凹部と、カ−トリッジ受部側の管口部嵌入れ用凹陥部内周壁の嵌合突起とが互いに嵌め入れられていることを特徴とする、浄水用カートリッジの取付け機構。
【請求項３】
原水に含まれる塩素、夾雑物を取り除く濾過剤が充填収納された有底円筒形容器本体を備え、かつ容器本体の底壁の略中央部に凸状の浄水流出管口部が設けられると共に、同浄水流出管口部と同軸外側の位置に原水流入管口部が設けられている浄水用カートリッジと
、浄水用カートリッジの下端部が嵌め入れられかつ浄水用カートリッジの浄水流出管口部および原水流入管口部に対応する底壁の略中央部にこれらの管口部を嵌め入れる凹陥部が設けられているカートリッジ受部とを備えている浄水用カートリッジの取付け機構において、上記浄水用カートリッジの容器本体底壁の原水流入管口部の底壁側の基部に鍔部が設けられ、この鍔部の周縁部の少なくとも一箇所に嵌合用切欠き凹部が設けられ、カートリッジ受部の底壁の管口部嵌入れ用凹陥部の内周壁の対応箇所に嵌合突起が内方突出状に設けられており、浄水用カートリッジの下端部がカートリッジ受部に嵌め入れられて、浄水用カ−トリッジ側の鍔部周縁部の嵌合用切欠き凹部と、カ−トリッジ受部側の管口部嵌入れ用凹陥部内周壁の嵌合突起とが互いに嵌め入れられていることを特徴とする、浄水用カートリッジの取付け機構。
【請求項４】
原水に含まれる塩素、夾雑物を取り除く濾過剤が充填収納された有底円筒形容器本体を備え、かつ容器本体の底壁の略中央部に凸状の浄水流出管口部が設けられると共に、同浄水流出管口部と同軸外側の位置に原水流入管口部が設けられている浄水用カートリッジと
、浄水用カートリッジの下端部が嵌め入れられかつ浄水用カートリッジの浄水流出管口部および原水流入管口部に対応する底壁の略中央部にこれらの管口部を嵌め入れる凹陥部が設けられているカートリッジ受部とを備えている浄水用カートリッジの取付け機構において、上記浄水用カートリッジの容器本体底壁の略中央部の浄水流出管口部を中心とする同心円上の位置に略環状の嵌合凹部が下向き状に設けられると共に、該嵌合凹部に対応すべくカートリッジ受部の底壁の対応箇所に略環状の嵌合凸部が上向き状に設けられており、浄水用カートリッジの下端部がカートリッジ受部に嵌め入れられて、略環状の嵌合凹部と略環状の嵌合凸部とが互いに嵌め合わせられていることを特徴とする、浄水用カートリッジの取付け機構。
【発明の詳細な説明】
【技術分野】
【０００１】
本発明は、浄水器や電解水生成装置等に付属する浄水用カートリッジの取付け機構に関するものである。
【背景技術】
【０００２】
水道水中の塩素は、飲料水として臭い除去や殺菌のために、水道法に従い添加されている。しかしながら、よりおいしい水、安全な水が求められて、使用前に水道水中に含まれる残留塩素や夾雑物を取り除くために、活性炭および／または中空糸等の濾過材が充填収納された浄水用カートリッジが使われている。カートリッジ内部の濾過材は一般に使用限界があり、寿命が来ると浄水用カートリッジは適宜取り換えて用いられる。従って、浄水用カートリッジは水道と直結されて用いられても良いが、交換の度に不便なため、浄水用カートリッジの着脱が自在な取付け機構を具備する浄水器や電解水生成装置を水道に接続して用いられている。
【０００３】
従来のカートリッジの取付け機構は、基本的に、浄水用カートリッジがカートリッジ受部に挿入されたとき、浄水用カートリッジ底壁の浄水流出管口部および原水流入管口部と
、これらの管口部が嵌め入れられるようにカートリッジ受部底壁の２箇所に設けられた凹陥部の２点において、嵌合、支持される取付け機構であった（以下、これを便宜的に２点法カートリッジの取付け機構と呼ぶ）。
【０００４】
ところで、原水の性質は、水源や地域、地形などによって変化することが知られており
、最近はおいしい水、安全な水に対する要望が多様化してきている。従って、原水の性質に適合した浄水用カートリッジが使用されるとき、浄水用カートリッジの寿命を延ばすことができるばかりでなく、所望の水を得ることができる。このため、浄水用カートリッジには各種用途に適合するものが市販されているが、浄水用カートリッジの外観から必ずしも用途に合わせて識別するのに容易な形態とはなっていない。このため、所望の水を得るに適合しない浄水用カートリッジが取付けられる場合があり、不都合が生じる。
【０００５】
ここで、従来のカートリッジの取付け機構に関わる特許文献には、つぎのようなものがある。
【特許文献１】特許第３０２１５５９号公報
【０００６】
特許文献１に開示されている浄水用カートリッジの取付け機構は、図１１に示されている。ここで、図１１ａは浄水用カートリッジを示し、図１１ｂはカートリッジ受部を示す
。
【０００７】
同図を参照すると、原水に含まれる塩素、莢雑物を取り除く部材を有底円筒容器５２に充填収納し、有底他端側５３の中心部に凸状の浄水流出管口部５４を設けると共に、上記中心部から同心円状に偏位した位置に凸状の原水流入管口部５５を設けた浄水用カートリッジ５１と、上記浄水流出管口部５４および原水流入管口部５５の対応位置に夫々凹状の嵌挿部５７，５８を設けたカートリッジ受部５６と、上記浄水用カートリッジ５１と上記カートリッジ受部５６を係合する環状ホルダ（図示略）を上記浄水用カートリッジ５１と上記カートリッジ受部５６間に設けて、上記環状ホルダを回動することにより、上記浄水用カートリッジ５１と上記カートリッジ受部５６を自在に係合する浄水用カートリッジの取付け機構において、上記浄水用カートリッジ５１の有底他端側５３の浄水流出管口部５４を中心とする流入管口部５５の反対側に凹状嵌挿部６３を設けると共に、上記カートリッジ受部５６の上記凹状嵌挿部対応面に上記凹状嵌挿部６３と嵌合する凸状突起６４を設けているものである。
【発明の開示】
【発明が解決しようとする課題】
【０００８】
しかしながら、上記特許文献１に記載の従来の浄水用カートリッジの取付け機構では、図１１を参照すると、浄水用カートリッジ５１は、交換のためカートリッジ受部５６から着脱される必要があるが、特許文献１に示される手段による装着の場合、正確に垂直方向から挿入されないとカートリッジ５１の凸状の浄水流出管口部５４、原水流入管口部５５
、および凹状嵌挿部６３と、カートリッジ受部５６の凹状の嵌挿部５７，５８および凸状突起６４とが、各々垂直状態で嵌合されず、浄水流出管口部５４の首部および原水流入管口部５５の首部に装着したＯリングを歪ませ、これらの嵌合部分から漏水を起こす危険性があるという問題があった。
【０００９】
すなわち、特許文献１では、従来の２点法カートリッジの取付け機構に対して、凹状の嵌挿部６３と凸状突起６４の嵌合点を加えたものの、カートリッジ５１では、浄水流出管口部５４と原水流入管口部５５と凹状嵌挿部６３とが略一直線上に設けられるとともに、これに対応して、カートリッジ受部５６の凹状の嵌挿部５７，５８と凸状突起６４とが略一直線上に設けられているため、カートリッジ５１がカートリッジ受部５６に挿入されるとき、カートリッジ５１の挿入底部は、上記略一直線に対して平行の一方向にのみ強固だが、それ以外の角度の方向、例えば直角方向には容易に傾き易く、浄水用カートリッジ５１は簡便に垂直方向から挿入されにくいという問題があり、これは、いわゆる一般によく知られている三点支持構造から外れた取付け機構のためと理解される。
【００１０】
また従来、浄水用カートリッジ５１の有底円筒形容器５２の底部および蓋部は、平坦であることが多かったが、最近は、蓋部および／または底部に丸みを有する耐圧型のものが使用されるに至っている。浄水用カートリッジ５１には水道水が原水として流入して、カートリッジ５１内部に１ＭＰａを超える圧力が掛かることもあるため、蓋部および底部は、平坦なものより丸みを有するものの方が、容器５２が耐圧性に優れていて、安全なことから今後も増加していくものと思われる。
【００１１】
ところが、特許文献１の浄水用カートリッジ５１の有底円筒形容器５２の底部と、カートリッジ受部５６の底壁とは、いずれも平坦状であり、浄水用カートリッジ５１の下端部がカートリッジ受部５６に嵌め入れられた際、カートリッジ５１の凸状の浄水流出管口部５４、原水流入管口部５５、および凹状嵌挿部６３と、カートリッジ受部５６の凹状の嵌挿部５７，５８および凸状突起６４とが、相互に嵌合されるようになされているものであり、この特許文献１記載の浄水用カートリッジの取付け機構に、底部が丸みを有する有底円筒容器で構成される浄水用カートリッジを適用しようとすると、浄水用カートリッジ５１の凹状嵌挿部６３とカートリッジ受部５６の凸状突起６４との間に空間（スペース）を生じ、これらは相互に嵌合することができないという問題がある。すなわち、特許文献１記載の浄水用カートリッジの取付け機構は、平底円筒容器５２を有する浄水用カートリッジには有効だが、耐圧性を有する丸底円筒容器を具備する浄水用カートリッジには、不適当であるという問題があった。
【００１２】
本発明の目的は、上記の従来技術の問題を解決し、浄水用カートリッジの有底筒形容器の底部の形状にかかわらず、浄水用カートリッジおよびカートリッジ受部同士の嵌合を非常に簡便にかつ確実に果たすことができて、漏水のおそれがなく、耐圧性を有する丸底円筒容器を具備する浄水用カートリッジにも有効に適用することができるうえに、各種用途に応じた浄水用カートリッジの種類によって、浄水用カートリッジを間違いなく取り付けることができて、浄水用カートリッジの誤用を防止し得る、浄水用カートリッジの取付け機構を提供しようとすることにある。
【課題を解決するための手段】
【００１３】
上記の目的を達成するために、請求項１の発明は、原水に含まれる塩素、夾雑物を取り除く濾過剤が充填収納された有底円筒形容器本体を備え、かつ容器本体の底壁の略中央部に凸状の浄水流出管口部が設けられると共に、同底壁の略中央部から離れた位置に凸状の原水流入管口部が設けられている浄水用カートリッジと、浄水用カートリッジの下端部が嵌め入れられかつ浄水用カートリッジの浄水流出管口部および原水流入管口部に対応する底壁の所定箇所にこれらの管口部を嵌め入れる凹陥部が設けられているカートリッジ受部とを備えている浄水用カートリッジの取付け機構において、上記浄水用カートリッジの容器本体底壁の略中央部の浄水流出管口部を中心とする同心円上の位置に略環状の嵌合凹部が下向き状に設けられると共に、該嵌合凹部に対応すべくカートリッジ受部の底壁の対応箇所に略環状の嵌合凸部が上向き状に設けられており、浄水用カートリッジの下端部がカートリッジ受部に嵌め入れられて、略環状の嵌合凹部と略環状の嵌合凸部とが互いに嵌め合わせられていることを特徴としている。
【００１４】
請求項２の発明は、原水に含まれる塩素、夾雑物を取り除く濾過剤が充填収納された有底円筒形容器本体を備え、かつ容器本体の底壁の略中央部に凸状の浄水流出管口部が設けられると共に、同底壁の略中央部から離れた位置に凸状の原水流入管口部が設けられている浄水用カートリッジと、浄水用カートリッジの下端部が嵌め入れられかつ浄水用カートリッジの浄水流出管口部および原水流入管口部に対応する底壁の所定箇所にこれらの管口部を嵌め入れる凹陥部が設けられているカートリッジ受部とを備えている浄水用カートリッジの取付け機構において、上記浄水用カートリッジの容器本体底壁の浄水流出管口部と原水流入管口部の少なくとも一方の底壁側基部に鍔部が設けられ、この鍔部の周縁部の少なくとも一箇所に嵌合用切欠き凹部が設けられ、カートリッジ受部の底壁の管口部嵌入れ用凹陥部の内周壁の対応箇所に嵌合突起が内方突出状に設けられており、浄水用カートリッジの下端部がカートリッジ受部に嵌め入れられて、浄水用カ−トリッジ側の鍔部周縁部の嵌合用切欠き凹部と、カ−トリッジ受部側の管口部嵌入れ用凹陥部内周壁の嵌合突起とが互いに嵌め入れられていることを特徴としている。
【００１５】
請求項３の発明は、原水に含まれる塩素、夾雑物を取り除く濾過剤が充填収納された有底円筒形容器本体を備え、かつ容器本体の底壁の略中央部に凸状の浄水流出管口部が設けられると共に、同浄水流出管口部と同軸外側の位置に原水流入管口部が設けられている浄水用カートリッジと、浄水用カートリッジの下端部が嵌め入れられかつ浄水用カートリッジの浄水流出管口部および原水流入管口部に対応する底壁の略中央部にこれらの管口部を嵌め入れる凹陥部が設けられているカートリッジ受部とを備えている浄水用カートリッジの取付け機構において、上記浄水用カートリッジの容器本体底壁の原水流入管口部の底壁側の基部に鍔部が設けられ、この鍔部の周縁部の少なくとも一箇所に嵌合用切欠き凹部が設けられ、カートリッジ受部の底壁の管口部嵌入れ用凹陥部の内周壁の対応箇所に嵌合突起が内方突出状に設けられており、浄水用カートリッジの下端部がカートリッジ受部に嵌め入れられて、浄水用カ−トリッジ側の鍔部周縁部の嵌合用切欠き凹部と、カ−トリッジ受部側の管口部嵌入れ用凹陥部内周壁の嵌合突起とが互いに嵌め入れられていることを特徴としている。
【００１６】
さらに、請求項４の発明は、原水に含まれる塩素、夾雑物を取り除く濾過剤が充填収納された有底円筒形容器本体を備え、かつ容器本体の底壁の略中央部に凸状の浄水流出管口部が設けられると共に、同浄水流出管口部と同軸外側の位置に原水流入管口部が設けられている浄水用カートリッジと、浄水用カートリッジの下端部が嵌め入れられかつ浄水用カートリッジの浄水流出管口部および原水流入管口部に対応する底壁の略中央部にこれらの管口部を嵌め入れる凹陥部が設けられているカートリッジ受部とを備えている浄水用カートリッジの取付け機構において、上記浄水用カートリッジの容器本体底壁の略中央部の浄水流出管口部を中心とする同心円上の位置に略環状の嵌合凹部が下向き状に設けられると共に、該嵌合凹部に対応すべくカートリッジ受部の底壁の対応箇所に略環状の嵌合凸部が上向き状に設けられており、浄水用カートリッジの下端部がカートリッジ受部に嵌め入れられて、略環状の嵌合凹部と略環状の嵌合凸部とが互いに嵌め合わせられていることを特徴としている。
【発明の効果】
【００１７】
請求項１の浄水用カートリッジの取付け機構の発明によれば、浄水用カートリッジの容器本体底壁の略中央部の浄水流出管口部を中心とする同心円上の位置に略環状の嵌合凹部が下向き状に設けられると共に、該嵌合凹部に対応すべくカートリッジ受部の底壁の対応箇所に略環状の嵌合凸部が上向き状に設けられており、浄水用カートリッジの下端部がカートリッジ受部に嵌め入れられて、略環状の嵌合凹部と略環状の嵌合凸部とが互いに嵌め合わせられているから、浄水用カートリッジの有底筒形容器の底部の形状にかかわらず、浄水用カートリッジおよびカートリッジ受部同士の嵌合を非常に簡便にかつ確実に果たすことができて、漏水のおそれがなく、耐圧性を有する丸底円筒容器を具備する浄水用カートリッジにも有効に適用することができるうえに、各種用途に応じた浄水用カートリッジの種類によって、浄水用カートリッジを間違いなく取り付けることができて、浄水用カートリッジの誤用を防止し得るという効果を奏する。
【００１８】
請求項２の発明は、浄水用カートリッジの容器本体底壁の浄水流出管口部と原水流入管口部の少なくとも一方の底壁側基部に鍔部が設けられ、この鍔部の周縁部の少なくとも一箇所に嵌合用切欠き凹部が設けられ、カートリッジ受部の底壁の管口部嵌入れ用凹陥部の内周壁の対応箇所に嵌合突起が内方突出状に設けられており、浄水用カートリッジの下端部がカートリッジ受部に嵌め入れられて、浄水用カ−トリッジ側の鍔部周縁部の嵌合用切欠き凹部と、カ−トリッジ受部側の管口部嵌入れ用凹陥部内周壁の嵌合突起とが互いに嵌め入れられているから、浄水用カートリッジの有底筒形容器の底部の形状にかかわらず、浄水用カートリッジおよびカートリッジ受部同士の嵌合を非常に簡便にかつ確実に果たすことができて、漏水のおそれがなく、耐圧性を有する丸底円筒容器を具備する浄水用カートリッジにも有効に適用することができるうえに、各種用途に応じた浄水用カートリッジの種類によって、浄水用カートリッジを間違いなく取り付けることができて、浄水用カートリッジの誤用を防止し得るという効果を奏する。
【００１９】
請求項３の発明は、浄水用カートリッジの容器本体底壁の原水流入管口部の底壁側の基部に鍔部が設けられ、この鍔部の周縁部の少なくとも一箇所に嵌合用切欠き凹部が設けられ、カートリッジ受部の底壁の管口部嵌入れ用凹陥部の内周壁の対応箇所に嵌合突起が内方突出状に設けられており、浄水用カートリッジの下端部がカートリッジ受部に嵌め入れられて、浄水用カ−トリッジ側の鍔部周縁部の嵌合用切欠き凹部と、カ−トリッジ受部側の管口部嵌入れ用凹陥部内周壁の嵌合突起とが互いに嵌め入れられているから、浄水用カートリッジの有底筒形容器の底部の形状にかかわらず、浄水用カートリッジおよびカートリッジ受部同士の嵌合を非常に簡便にかつ確実に果たすことができて、漏水のおそれがなく、耐圧性を有する丸底円筒容器を具備する浄水用カートリッジにも有効に適用することができるうえに、各種用途に応じた浄水用カートリッジの種類によって、浄水用カートリッジを間違いなく取り付けることができて、浄水用カートリッジの誤用を防止し得るという効果を奏する。
【００２０】
請求項４の発明は、浄水用カートリッジの容器本体底壁の略中央部の浄水流出管口部を中心とする同心円上の位置に略環状の嵌合凹部が下向き状に設けられると共に、該嵌合凹部に対応すべくカートリッジ受部の底壁の対応箇所に略環状の嵌合凸部が上向き状に設けられており、浄水用カートリッジの下端部がカートリッジ受部に嵌め入れられて、略環状の嵌合凹部と略環状の嵌合凸部とが互いに嵌め合わせられているから、浄水用カートリッジの有底筒形容器の底部の形状にかかわらず、浄水用カートリッジおよびカートリッジ受部同士の嵌合を非常に簡便にかつ確実に果たすことができて、漏水のおそれがなく、耐圧性を有する丸底円筒容器を具備する浄水用カートリッジにも有効に適用することができるうえに、各種用途に応じた浄水用カートリッジの種類によって、浄水用カートリッジを間違いなく取り付けることができて、浄水用カートリッジの誤用を防止し得るという効果を奏する。
【発明を実施するための最良の形態】
【００２１】
つぎに、本発明の実施の形態を、図面を参照して説明するが、本発明はこれらに限定されるものではない。
【００２２】
図１は、本発明の浄水用カートリッジの取付け機構の第１実施形態を示す一部切欠き斜視図で、図１ａは浄水用カートリッジ１、図１ｂはカートリッジ受部２を示す。
【００２３】
同図を参照すると、本発明の浄水用カートリッジの取付け機構は、原水に含まれる塩素
、夾雑物を取り除く濾過剤５が充填収納されかつ樹脂などで成形された有底円筒形容器本体３を備え、かつ容器本体３の底壁４の略中央部に凸状の浄水流出管口部６が設けられるとともに、同底壁４の略中央部から離れた位置に凸状の原水流入管口部７が設けられている浄水用カートリッジ１と、浄水用カートリッジ１の下端部が嵌め入れられかつ浄水用カートリッジ１の浄水流出管口部６および原水流入管口部７に対応する底壁１２の所定箇所にこれらの管口部６，７を嵌め入れる凹陥部１３，１５が設けられているカートリッジ受部２と、浄水用カートリッジ１およびカートリッジ受部２を水密に連結する連結用ホルダ（図示略）とを備えている。凹陥部１３，１５の底部には、それぞれ凸状浄水流出管口部６の外径の小さい先端部９と、凸状の原水流入管口部７の外径の小さい先端部１０とを挿入する貫通孔１４，１６があけられ、また、カートリッジ受部２の外周には連結用ホルダ（図示略）の係合凸部に係合せしめるべく係合溝１１が設けられている。
【００２４】
また、凸状浄水流出管口部６の外径の小さい先端部９と、凸状の原水流入管口部７の外径の小さい先端部１０とには、それぞれＯ−リング（図示略）が嵌め被せられている。
【００２５】
この第１実施形態においては、浄水用カートリッジ１の容器本体底壁４の略中央部の浄水流出管口部６を中心とする同心円上の位置に、略円形環状の下向き嵌合凹部８が設けられ、カートリッジ受部２の底壁１２の対応箇所に欠損部付き略円形環状の上向き嵌合凸部１７が設けられており、浄水用カートリッジ１の下端部がカートリッジ受部２に嵌め入れられて、浄水用カートリッジ１の容器本体底壁４の略環状の下向き嵌合凹部８と、カートリッジ受部２の底壁１２の略環状の上向き嵌合凸部１７とが互いに嵌め合わせられているものである。
【００２６】
本発明によれば、浄水用カートリッジ１の浄水流出管口部６を中心とする同心円上の位置に略環状の嵌合凹部８、およびカートリッジ受部２の底壁１２に略環状の嵌合凹部８に対応する略環状の嵌合凸部１７が設けられているので、浄水用カートリッジ１の下端部がカートリッジ受部２に嵌め入れられるとき、すなわち、浄水用カートリッジ１の浄水流出管口部６および原水流入管口部７がカートリッジ受部２の凹陥部１３、１５にそれぞれ挿入されるとき、カートリッジ受部２の略環状の嵌合凸部１７が浄水用カートリッジ１の略環状の嵌合凹部８に容易に嵌合される。
【００２７】
さらに詳細に説明すると、浄水用カートリッジ１の原水流入管口部７は、カートリッジ受部２に対する浄水用カートリッジ１の位置の目安を示し、これによって位置決めがされると、浄水用カートリッジ１の下端部はカートリッジ受部２にそのまま垂直に嵌め入れられる。この垂直挿入（嵌入）の際、浄水用カートリッジ１は浄水流出管口部６を中心にカートリッジ受部２に挿入され、同時に浄水流出管口部６の同心円上の位置にある略環状の嵌合凹部８も、カートリッジ受部２の略環状の嵌合凸部１７に全方向に安定に自然に嵌め合わせられ、その結果、浄水用カートリッジ１の原水流入管口部７もカートリッジ受部２の底壁１２の凹陥部１５に挿入されることにより、浄水用カートリッジ１の浄水流出管口部６および原水流入管口部７とそれらに対応するカートリッジ受部２の底壁１２の凹陥部１３、１５、並びに本発明の略環状の嵌合凹部８と略環状の嵌合凸部１７において、それぞれ嵌合、支持されるのである。
【００２８】
このとき、浄水用カートリッジ１は浄水流出管口部６および原水流入管口部７においてカートリッジ受部２の底壁１２の凹陥部１３、１５と嵌合されているのに加えて、浄水用カートリッジ１の略環状の嵌合凹部８とカートリッジ受部２の底壁１２の略環状の嵌合凸部１７によっても嵌合されているため、浄水流出管口部６を中心に全方向に対して嵌合されて、安定に取付けられるものである。
【００２９】
このように、本発明によれば、浄水用カートリッジ１の下端部がカートリッジ受部２に嵌め入れられた際、浄水用カートリッジ１の浄水流出管口部６および原水流入管口部７と
、カートリッジ受部２の凹陥部１３，１５とが互いに嵌め合わせられるとともに、浄水用カートリッジ１の容器本体底壁４の略環状の下向き嵌合凹部８と、カートリッジ受部２の底壁１２の略環状の上向き嵌合凸部１７とが互いに嵌め合わせられるため、浄水用カートリッジ１の下端部は、カートリッジ受部２に対して簡便に垂直方向から挿入することができるとともに、浄水用カートリッジ１の下端部はカートリッジ受部２に対して、いわゆる三点支持構造ないしは多点支持構造となされていて、非常に堅固に結合され、浄水用カートリッジ１はカートリッジ受部２に対して、浄水用カートリッジ１の容器本体３の浄水流出管口部６を中心とする周方向のあらゆる方向にも傾くことなく、しっかりと確実に取り付けることができ、漏水を生じるおそれが全くないものである。
【００３０】
さらに、本発明の浄水用カートリッジの取付け機構によれば、浄水用カートリッジ１の容器本体底壁４の略環状の下向き嵌合凹部８と、カートリッジ受部２の底壁１２の略環状の上向き嵌合凸部１７とが互いに嵌め合わせられるため、近年の蓋部および／または底部に丸みを有する耐圧型の丸底円筒容器を具備する浄水用カートリッジであっても、嵌合凹部８と嵌合凸部１７との間に空間（スペース）を生じるようなことがなく、本発明の浄水用カートリッジの取付け機構は、耐圧型の丸底円筒容器を具備する浄水用カートリッジにも、有効に適用することができるものである。
【００３１】
浄水用カートリッジ１の略環状の嵌合凹部８は、浄水流出管口部６の同心円上の位置にあれば良く、浄水用カートリッジ１の底壁４が平底および丸底にも対応できるためには、成形加工上可能な限り、浄水流出管口部６に近い位置が好ましい。
【００３２】
また、図示の浄水用カートリッジの取付け機構では、浄水用カートリッジ１側の略環状の嵌合凹部８が略円形環状を有するものであり、カートリッジ受部２側の略環状の上向き嵌合凸部１７が略円形環状を有するものであるが、略環状の嵌合凹部８は、平面よりみて円形に限らず、楕形円、花形、星形、多角形などの他の形状でも良いことは勿論で有り、略環状の嵌合凹部８の設置箇所、形状および／または数が略環状の嵌合凸部１７の設置箇所や形状と互いに対応してさえいれば良い。すなわち、各種用途に応じた浄水用カートリッジ１の種類によって、略環状の嵌合凹部８および略環状の嵌合凸部１７の同心円上の配置箇所や形状を変えることにより、所望の浄水用カートリッジを識別することができる。
【００３３】
逆に、合致しない場合は、浄水用カートリッジ１をカートリッジ受部２に取付けられないので、間違って使用することを防ぐことができる。
【００３４】
すなわち、本発明においては、浄水用カートリッジ１の容器本体底壁４の略環状の嵌合凹部８と、カートリッジ受部２の底壁１２の略環状の嵌合凸部１７とが、平面よりみて略円形、略楕円形、多角形、星形、または花形の形状であって、相互に嵌合可能な同じ形状を有するものであり、各種用途に応じた浄水用カートリッジ１の種類によって、浄水用カートリッジ１側の嵌合凹部８およびカートリッジ受部２側の嵌合凸部１７の形状、および／またはこれら嵌合凹部８および嵌合凸部１７の浄水流出管口部６を中心とする同心円上の配置箇所を、相互に対応して変えることにより、所要の浄水用カートリッジ１が識別して取り付けられるようになされているものである。
【００３５】
このような本発明の浄水用カートリッジの取付け機構によれば、浄水用カートリッジ１の有底筒形容器本体３の底部の形状にかかわらず、浄水用カートリッジ１の下端部をカートリッジ受部２に誤って挿入することができないため、所望する浄水用カートリッジ１が取り付けられ、その結果、浄水用カートリッジ１によって所望の浄水を得ることができるものである。
【００３６】
カートリッジ１とカートリッジ受部２は、図示されない連結用ホルダを回動することにより、連結用ホルダ内側に設けられた突起部がカートリッジ受部２外周に設けられた係合溝１１と係合されることにより固定される。この結果、カートリッジ１はカートリッジ受部２に垂直に挿入するだけでカートリッジ１を回転する必要が無く、連結用ホルダを回動させるに合わせて着脱自在となる。勿論、カートリッジ１とカートリッジ受部２の係合は
、この方法に限定されることなく、その他の手段が用いられても良い。
【００３７】
図２は、本発明の第２実施形態における浄水用カートリッジの取付け機構を示す一部切欠き斜視図である。図２（ａ）は浄水用カートリッジ１、図２（ｂ）はカートリッジ受部２を示す。
【００３８】
ここで、上記第１実施形態の場合と異なる点は、浄水用カートリッジ１の容器本体底壁４の浄水流出管口部６の底壁側の基部に鍔部２０が設けられ、この鍔部２０の周縁部の２箇所に嵌合用切欠き凹部２１が設けられ、カートリッジ受部２の底壁１２の管口部嵌入れ用凹陥部１３の内周壁の対応２箇所に嵌合突起２２が内方突出状に設けられており、浄水用カートリッジ１の下端部がカートリッジ受部２に嵌め入れられて、浄水用カートリッジ１側の浄水流出管口部基部の鍔部２０周縁部の嵌合用切欠き凹部２１と、カートリッジ受部２側の管口部嵌入れ用凹陥部１３内周壁の嵌合突起２２とが互いに嵌め合わせられている点にある。
【００３９】
このように、本発明の第２実施形態の浄水用カートリッジの取付け機構では、浄水用カートリッジ１の下端部がカートリッジ受部２に嵌め入れられて、浄水用カートリッジ１側の浄水流出管口部基部の鍔部２０周縁部の嵌合用切欠き凹部２１と、カートリッジ受部２側の管口部嵌入れ用凹陥部１３内周壁の嵌合突起２２とが互いに嵌め合わせられているから、浄水用カートリッジ１の有底筒形容器３の底部の形状にかかわらず、浄水用カートリッジ１およびカートリッジ受部２同士の嵌合を非常に簡便にかつ確実に果たすことができて、漏水のおそれがなく、耐圧性を有する丸底円筒容器を具備する浄水用カートリッジ１にも有効に適用することができるものである。
【００４０】
また、浄水用カートリッジ１の容器本体底壁４の浄水流出管口部６の鍔部２０の周縁部に比較的小さい嵌合用切欠き凹部２１が設けられ、これに対応して、カートリッジ受部２の底壁１２の管口部嵌入れ用凹陥部１３の内周壁に同形の嵌合突起２２が内方突出状に設けられているだけであるから、浄水用カートリッジ１の容器本体３およびカートリッジ受部２の成形用金型の設計を大きく変更することなく、嵌合用切欠き凹部２１と同形の嵌合突起２２とを成形することができ、製造コストが安くつくという効果を奏する。
【００４１】
なお、この第２実施形態では、浄水用カートリッジ１側の平面よりみて略円弧形の嵌合用切欠き凹部２１と、カートリッジ受部２側の平面よりみて略円弧形の嵌合突起２２とが
、浄水用カートリッジ１の浄水流出管口部６基部の鍔部２０周縁部と、カートリッジ受部２の管口部嵌入れ用凹陥部１３内周壁とに、互いに対向するように２箇所設けられているが、これらの嵌合用切欠き凹部２１と嵌合突起２２とは、浄水用カートリッジ１の浄水流出管口部６基部の鍔部２０周縁部とカートリッジ受部２の管口部嵌入れ用凹陥部１３内周壁のどの位置に設けられていても良く、嵌合用切欠き凹部２１と嵌合突起２２の数も１箇所でも複数箇所でも良い。要するに、嵌合用切欠き凹部２１と嵌合突起２２とは、それらの配置箇所、数、形状が互いに対応してさえおれば良い。
【００４２】
すなわち、この第２実施形態では、浄水用カートリッジ１側の浄水流出管口部基部の鍔部２０周縁部の嵌合用切欠き凹部２１と、カートリッジ受部２側の管口部嵌入れ用凹陥部１３内周壁の嵌合突起２２とが、平面よりみて略円弧形を有するものであるが、嵌合用切欠き凹部２１と嵌合突起２２の形状は、その他、角形の形状であっても良く、これらが互いに嵌合可能な同じ形状を有するものであれば、良い。
【００４３】
また、この第２実施形態では、嵌合用切欠き凹部２１と嵌合突起２２とは、浄水用カートリッジ１の浄水流出管口部６基部の鍔部２０周縁部と、カートリッジ受部２の管口部嵌入れ用凹陥部１３内周壁に設けられているが、図示は省略したが、これらの嵌合用切欠き凹部２１と嵌合突起２２とは、その他、浄水用カートリッジ１の原水流入管口部７基部の鍔部２４周縁部とカートリッジ受部２の管口部嵌入れ用凹陥部１５内周壁に設けられていても良い。また、嵌合用切欠き凹部２１と嵌合突起２２とは、浄水用カートリッジ１の浄水流出管口部６基部の鍔部２０周縁部とカートリッジ受部２の管口部嵌入れ用凹陥部１３内周壁、および浄水用カートリッジ１の原水流入管口部７基部の鍔部２４周縁部とカートリッジ受部２の管口部嵌入れ用凹陥部１５内周壁の両方に、それぞれ設けられていても良い。
【００４４】
すなわち、各種用途に応じた浄水用カートリッジ１の種類によって、浄水用カートリッジ１側の嵌合用切欠き凹部２１とカートリッジ受部２側の嵌合突起２２の配置箇所、形状
、および／または数を、相互に対応して変えることにより、所望の浄水用カートリッジ１を識別して取り付けることができるようになっている。
【００４５】
逆に、合致しない場合は、浄水用カートリッジ１をカートリッジ受部２に取付けられないので、間違って使用することを防ぐことができる。
【００４６】
この第２実施形態のその他の点は、上記第１実施形態の場合と同様であるので、図面において同一のものには同一の符号を付した。
【００４７】
図３は、本発明の第３実施形態における浄水用カートリッジの取付け機構を示す一部切欠き斜視図である。図３（ａ）は浄水用カートリッジ１、図３（ｂ）はカートリッジ受部２を示す。
【００４８】
図４は、本第３実施形態における浄水用カートリッジ１の底部の底面図、図５は、同浄水用カートリッジ１の底部の側面図、図６は、同浄水用カートリッジ１の下半部の垂直断面図である。図７は、本第３実施形態における浄水用カートリッジ受部２の平面図、図８は、同浄水用カートリッジ受部２の側面図、図９は、同浄水用カートリッジ受部２の垂直断面図である。
【００４９】
この第３実施形態における浄水用カートリッジは、上記第１実施形態および第２実施形態の浄水用カートリッジとは異なるタイプのものであって、浄水用カートリッジ１の有底円筒形容器本体３の底壁４の略中央部に凸状の浄水流出管口部６が設けられるとともに、同浄水流出管口部６と同軸外側の位置に原水流入管口部２５が設けられ、カートリッジ受部２の底壁１２の略中央部にこれらの管口部６，２５を一緒に嵌め入れる径大の貫通孔２７付き凹陥部２６が設けられているものである。
【００５０】
この第３実施形態において、上記第１実施形態の場合と異なる点は、浄水用カートリッジ１の原水流入管口部２５の底壁４側の基部に鍔部３０が設けられ、この鍔部３０の周縁部の対応する２箇所に平面よりみて略円弧形の嵌合用切欠き凹部３１が設けられるとともに、カートリッジ受部２の底壁１２の管口部嵌入れ用凹陥部２６の内周壁の対応２箇所に平面よりみて略円弧形の嵌合突起３２が内方突出状に設けられており、浄水用カートリッジ１の下端部がカートリッジ受部２に嵌め入れられて、浄水用カートリッジ１側の原水流入管口部基部の鍔部３０周縁部の嵌合用切欠き凹部３１と、カートリッジ受部２側の管口部嵌入れ用凹陥部２６内周壁の嵌合突起３２とが互いに嵌め合わせられている点にある。
【００５１】
このように、本発明の第３実施形態の浄水用カートリッジの取付け機構では、浄水用カートリッジ１の容器本体底壁４の原水流入管口部２５の底壁４側の基部に鍔部３０が設けられ、この鍔部３０の周縁部の対応する２箇所に平面よりみて略円弧形の嵌合用切欠き凹部３１が設けられ、カートリッジ受部２の底壁１２の管口部嵌入れ用凹陥部２６の内周壁の対応２箇所に平面よりみて略円弧形の嵌合突起３２が内方突出状に設けられており、浄水用カートリッジ１の下端部がカートリッジ受部２に嵌め入れられて、浄水用カートリッジ１側の原水流入管口部基部の鍔部３０周縁部の嵌合用切欠き凹部３１と、カートリッジ受部２側の管口部嵌入れ用凹陥部２６内周壁の嵌合突起３２とが互いに嵌め合わせられているから、浄水用カートリッジ１の有底筒形容器３の底部の形状にかかわらず、浄水用カートリッジ１およびカートリッジ受部２同士の嵌合を非常に簡便にかつ確実に果たすことができて、漏水のおそれがなく、耐圧性を有する丸底円筒容器を具備する浄水用カートリッジにも有効に適用することができるものである。
【００５２】
さらに詳細に説明すると、この第３実施形態では、浄水用カートリッジ１の有底円筒形容器本体３の底壁４の凸状の浄水流出管口部６と原水流入管口部２５とが、いわば同軸上に設けられ、カートリッジ受部２の底壁１２の略中央部にこれらの管口部６，２５を一緒に嵌め入れる径大の凹陥部２６が設けられているので、カートリッジ受部２に対する浄水用カートリッジ１の位置決めの必要も無く、浄水用カートリッジ１はカートリッジ受部２にそのまま簡単に垂直に挿入される。そして、これらの垂直挿入の際は、浄水用カートリッジ１側の原水流入管口部基部の鍔部３０周縁部の嵌合用切欠き凹部３１と、カートリッジ受部２側の管口部嵌入れ用凹陥部２６内周壁の嵌合突起３２とが互いに嵌め合わせられることにより、浄水用カートリッジ１とカートリッジ受部２が、略中央部１箇所において簡単にかつ安定に嵌合、支持されるのである。
【００５３】
また、浄水用カートリッジ１の容器本体底壁４の原水流入管口部６の鍔部３０の周縁部に嵌合用切欠き凹部３１が設けられ、これに対応して、カートリッジ受部２の底壁１２の管口部嵌入れ用凹陥部２６の内周壁に同形の嵌合突起３２が内方突出状に設けられているだけであるから、浄水用カートリッジ１の容器本体３およびカートリッジ受部２の成形用金型の設計を大きく変更することなく、嵌合用切欠き凹部３１と同形の嵌合突起３２とを成形することができ、製造コストが安くつくという効果を奏する。
【００５４】
なお、この第３実施形態では、浄水用カートリッジ１側の平面よりみて略円弧形の嵌合用切欠き凹部３１と、カートリッジ受部２側の平面よりみて略円弧形の嵌合突起３２とが
、浄水用カートリッジ１の容器本体底壁４の原水流入管口部２５の底壁４側基部の鍔部３０の周縁部と、カートリッジ受部２の底壁１２の管口部嵌入れ用凹陥部２６の内周壁とに、互いに対向するように２箇所設けられているが、これらの嵌合用切欠き凹部３１と嵌合突起３２とは、浄水用カートリッジ１の容器本体底壁４の原水流入管口部２５の鍔部３０の周縁部と、カートリッジ受部２の管口部嵌入れ用凹陥部２６の内周壁のどの位置に設けられていても良く、嵌合用切欠き凹部３１と嵌合突起３２の数も１箇所でも複数箇所でも良い。要するに、嵌合用切欠き凹部３１と嵌合突起３２とは、それらの配置箇所、数、形状が互いに対応してさえおれば良い。
【００５５】
この第３実施形態では、浄水用カートリッジ１側の容器本体底壁４の原水流入管口部２５の鍔部３０周縁部に設けられた嵌合用切欠き凹部３１と、カートリッジ受部２側の底壁１２の管口部嵌入れ用凹陥部２６の内周壁に設けられた嵌合突起３２とが、平面よりみて略円弧形を有するものであるが、嵌合用切欠き凹部３１と嵌合突起３２の形状は、その他、角形の形状であっても良く、これらが互いに嵌合可能な同じ形状を有するものであれば良い。
【００５６】
そして、各種用途に応じた浄水用カートリッジ１の種類によって、浄水用カートリッジ１側の嵌合用切欠き凹部３１とカートリッジ受部２側の嵌合突起３２の形状、配置箇所
、および／または数を、相互に対応して変えることにより、所要の浄水用カートリッジ１が識別して取り付けられるようになされている。
【００５７】
逆に、合致しない場合は、浄水用カートリッジ１をカートリッジ受部２に取付けられないので、間違って使用することを防ぐことができる。
【００５８】
この第３実施形態のその他の点は、上記第１実施形態の場合と同様であるので、図面において同一のものには同一の符号を付した。
【００５９】
なお、この第３実施形態では、浄水用カートリッジ１の有底円筒形容器本体３の底壁４の略中央部に凸状の浄水流出管口部６が設けられ、これと同軸の外側位置に原水流入管口部２５が設けられたタイプの浄水用カートリッジについて説明したが、これらの配置および口径など、特に浄水流出管口部６に対する原水流入管口部２５の配置は、図示のものに限定されるものではない。
【００６０】
図１０は、本発明の第４実施形態における浄水用カートリッジの取付け機構を示す一部切欠き斜視図である。図１０（ａ）は浄水用カートリッジ１、図１０（ｂ）はカートリッジ受部２を示す。
【００６１】
ここで、上記第３実施形態の場合と異なる点は、浄水用カートリッジ１の容器本体底壁４の略中央部の浄水流出管口部６を中心とする同心円上の位置に、略円形環状の下向き嵌合凹部４１が設けられ、カートリッジ受部２の底壁１２の対応箇所に略円形環状の上向き嵌合凸部４２が設けられており、浄水用カートリッジ１の下端部がカートリッジ受部２に嵌め入れられて、浄水用カートリッジ１の容器本体底壁４の略環状の下向き嵌合凹部４１と、カートリッジ受部２の底壁１２の略環状の上向き嵌合凸部４２とが互いに嵌め合わせられた点にある。
【００６２】
このように、本発明の第４実施形態の浄水用カートリッジの取付け機構では、浄水用カートリッジ１の浄水流出管口部６を中心とする同心円上の位置に略環状の嵌合凹部４１、およびカートリッジ受部２の底壁１２に該略環状の嵌合凹部４１に対応する略環状の嵌合凸部４２が設けられているので、浄水用カートリッジ１の下端部がカートリッジ受部２に嵌め入れられるとき、すなわち、浄水用カートリッジ１の浄水流出管口部６および原水流入管口部２５がカートリッジ受部２の凹陥部２６にそれぞれ挿入されるとき、カートリッジ受部２の略環状の嵌合凸部４２がカートリッジ１の略環状の嵌合凹部４１に容易に嵌合される。
【００６３】
さらに、本発明の第４実施形態の浄水用カートリッジの取付け機構によれば、浄水用カートリッジ１の容器本体底壁４の略環状の下向き嵌合凹部４１と、カートリッジ受部２の底壁１２の略環状の上向き嵌合凸部４２とが互いに嵌め合わせられるため、近年の蓋部および／または底部に丸みを有する耐圧型の丸底円筒容器を具備する浄水用カートリッジであっても、略環状の下向き嵌合凹部４１と略環状の上向き嵌合凸部４２との間に空間（スペース）を生じるようなことがなく、本発明の浄水用カートリッジの取付け機構は、耐圧型の丸底円筒容器を具備する浄水用カートリッジにも、有効に適用することができるものである。
【００６４】
浄水用カートリッジ１の略環状の嵌合凹部４１は、浄水流出管口部６の同心円上の位置にあれば良く、浄水用カートリッジ１の底壁４が平底および丸底にも対応できるためには
、成形加工上可能な限り、原水流入管口部２５に近い位置が好ましい。
【００６５】
また、図示の浄水用カートリッジの取付け機構では、浄水用カートリッジ１側の略環状の下向き嵌合凹部４１が略円形環状を有するものであり、カートリッジ受部２側の略環状の上向き嵌合凸部４２が略円形環状を有するものであるが、略環状の嵌合凹部４１は平面よりみて円形に限らず、楕形円、花形、星形、多角形などの他の形状でも良いことは勿論で有り、略環状の嵌合凹部４１の設置箇所、形状および／または数が略環状の嵌合凸部４２の設置箇所や形状と互いに対応してさえいれば良い。すなわち、各種用途に応じた浄水用カートリッジ１の種類によって、略環状の嵌合凹部４１および略環状の嵌合凸部４２の同心円上の配置箇所や形状を変えることにより、所望の浄水用カートリッジを識別することができる。
【００６６】
逆に、合致しない場合は、浄水用カートリッジ１をカートリッジ受部２に取付けられないので、間違って使用することを防ぐことができる。
【００６７】
このような、本発明の第４実施形態の浄水用カートリッジの取付け機構では、浄水用カートリッジ１の有底筒形容器本体３の底部の形状にかかわらず、浄水用カートリッジ１の下端部をカートリッジ受部２に誤って挿入することができないため、所望する浄水用カートリッジ１が取り付けられ、その結果、浄水用カートリッジ１によって所望の浄水を得ることができるものである。
【００６８】
この第４実施形態のその他の点は、上記第３実施形態の場合と同様であるので、図面において同一のものには同一の符号を付した。
【００６９】
なお、浄水用カートリッジの取付け機構には、通常、浄水用カートリッジ１およびカートリッジ受部２を水密に連結する連結用ホルダが備えられているが、連結用ホルダを必要としない浄水用カートリッジの取付け機構においても、本発明の上記の第１〜第４実施形態を適用することができ、本発明は、図示のものに制限されるものではない。
【図面の簡単な説明】
【００７０】
【図１】本発明の第１実施形態における浄水用カートリッジの取付け機構を示す一部切欠き斜視図で、図１ａは浄水用カートリッジを示し、図１ｂはカートリッジ受部を示す。
【図２】本発明の第２実施形態における浄水用カートリッジの取付け機構を示す一部切欠き斜視図で、図２ａは浄水用カートリッジを示し、図２ｂはカートリッジ受部を示す。
【図３】本発明の第３実施形態における浄水用カートリッジの取付け機構を示す一部切欠き斜視図で、図３ａは浄水用カートリッジを示し、図３ｂはカートリッジ受部を示す。
【図４】同第３実施形態における浄水用カートリッジの底部の底面図である。
【図５】同浄水用カートリッジの底部の側面図である。
【図６】同浄水用カートリッジの下半部の垂直断面図である。
【図７】同第３実施形態における浄水用カートリッジ受部の平面図である。
【図８】同浄水用カートリッジ受部の側面図である。
【図９】同浄水用カートリッジ受部の垂直断面図である。
【図１０】本発明の第４実施形態における浄水用カートリッジの取付け機構を示す一部切欠き斜視図で、図１０ａは浄水用カートリッジを示し、図１０ｂはカートリッジ受部を示す。
【図１１】従来の浄水用カートリッジの取付け機構を示す一部切欠き斜視図で、図１１ａは浄水用カートリッジを示し、図１１ｂはカートリッジ受部を示す。
【符号の説明】
【００７１】
１：浄水用カートリッジ
２：カートリッジ受部
３：有底円筒形容器本体
４：底壁
５：濾過剤
６：凸状の浄水流出管口部
７：凸状の原水流入管口部
８：略環状の嵌合凹部
１２：底壁
１３：凹陥部
１５：凹陥部
１７：略環状の嵌合凸部
２０：鍔部
２１：嵌合用切欠き凹部
２２：嵌合突起
２５：原水流入管口部
２６：凹陥部
３０：鍔部
３１：嵌合用切欠き凹部
３２：嵌合突起
４１：略環状の嵌合凹部
４２：略環状の嵌合凸部
【図１】
2006334453.tif 000003
【図２】
2006334453.tif 000004
【図３】
2006334453.tif 000005
【図４】
2006334453.tif 000006
【図５】
2006334453.tif 000007
【図６】
2006334453.tif 000008
【図７】
2006334453.tif 000009
【図８】
2006334453.tif 000010
【図９】
2006334453.tif 000011
【図１０】
2006334453.tif 000012
【図１１】
2006334453.tif 000013